(57)【要約】【課題】品位低下を防ぐとともに、衝撃耐性を向上させる。【解決手段】照明モジュール１は、ＬＥＤ４から出射された光を導光する導光板２と、導光板２を挟持することが可能で、かつ別体として設けられる一対の導光板保持部５ａ、５ｂと、一対の導光板保持部５ａ、５ｂの相対的な位置関係を規定するネジ８と、を備えている。【選択図】図１
2013218874.tif 000002
【特許請求の範囲】
【請求項１】
光源から出射された光を導光する導光板と、
上記導光板を挟持することが可能で、かつ別体として設けられる一対の導光板挟持部と、
上記一対の導光板挟持部の相対的な位置関係を規定する規定部と、を備えていることを特徴とする照明窓。
【請求項２】
上記光源を備え、
上記一対の導光板挟持部は、上記導光板の、上記光源近傍の端部において、上記導光板を挟持していることを特徴とする請求項１に記載の照明窓。
【請求項３】
上記導光板の厚み方向への動きを抑制する抑制部を備えていることを特徴とする請求項１または２に記載の照明窓。
【請求項４】
ベースをさらに備え、
上記規定部は、上記一対の導光板挟持部の少なくとも一方を上記ベースに固定することにより、上記相対的な位置関係を規定することを特徴とする請求項１から３のいずれか１項に記載の照明窓。
【請求項５】
上記規定部は、上記一対の導光板挟持部を互いに固定することにより、上記相対的な位置関係を規定することを特徴とする請求項１から３のいずれか１項に記載の照明窓。
【請求項６】
上記導光板には、切り欠き部または開口部が形成され、
上記規定部は、上記切り欠き部または上記開口部を通って、上記一対の導光板挟持部を連結することを特徴とする請求項５に記載の照明窓。
【請求項７】
上記一対の導光板挟持部の少なくとも一方と、上記導光板との組において、その一方には突起部が形成され、その他方には当該突起部を嵌合可能な嵌合部が形成されていることを特徴とする請求項１から６のいずれか１項に記載の照明窓。
【請求項８】
請求項１から７のいずれか１項の照明窓を備えていることを特徴とするドア。
【発明の詳細な説明】
【技術分野】
【０００１】
本発明は、光源から出射された光を導光する導光板を備えた照明窓、および、当該照明窓を備えたドアに関する。
【背景技術】
【０００２】
従来から、発光ダイオード（ＬＥＤ）は電力消費が少なく長寿命であることから、電球を用いた照明装置に代えて発光ダイオードを用いた照明装置が開発されている。また、各種情報を表示する表示装置の光源としても使用されている。このような表示装置の一例として、特許文献１が挙げられる。
【０００３】
特許文献１の表示装置では、導光板の端面に、光源としての発光ダイオードが設けられており、導光板の内部には反射面を有する凹部が設けられている。発光ダイオードから出射された光は、凹部の反射面で反射され、導光板の表示面側へと出射される。また、コの字形状の固定溝を有する固定枠が設けられている。固定枠は、固定溝で導光板を固定するとともに、導光板の表示面および裏面を傷や汚れから保護するための一対の保護板を、当該表示面および裏面と一定の空間を保った状態で固定している。
【先行技術文献】
【特許文献】
【０００４】
【特許文献１】特開２００８−２１６５８３号公報（２００８年９月１８日公開）
【発明の概要】
【発明が解決しようとする課題】
【０００５】
しかしながら、特許文献１において、衝撃耐性を高めるには、導光板の厚みと固定溝の幅とを略一致させる必要がある。しかし、固定溝はコの字形状に一体形成されているため、衝撃耐性の向上の観点から、導光板の厚みにあわせて固定枠を製造することは困難である。
【０００６】
また、固定枠の幅が導光板の厚みと略一致またはその厚みよりも狭い場合には、固定枠に導光板を嵌め込む作業が困難となるし、嵌め込むことができた場合であっても、導光板に傷がつき、光源から出射された光がその外部に漏れ出てしまう可能性がある。
【０００７】
一方、固定枠の幅が導光板の厚みよりも広い場合には、導光板を固定枠に保持することが困難となる。特に、建屋の窓等に利用される導光板を固定するために、上記固定枠が適用された場合には、その窓の開閉時の衝撃により、導光板の固定枠との接触部分に傷がつき、導光板が破損してしまう可能性が高い。さらに、その衝撃により導光板が動揺し、ドア全体の破損に繋がる可能性もある。
【０００８】
すなわち、特許文献１の技術では、導光板を含む部材の品位低下を防ぐとともに、衝撃耐性を向上させることは困難であった。
【０００９】
本発明は、上記の問題点を解決するためになされたもので、その目的は、品位低下を防ぐとともに、衝撃耐性を向上させることが可能な照明窓、および、当該照明窓を備えたドアを提供することにある。
【課題を解決するための手段】
【００１０】
本発明に係る照明窓は、上記の課題を解決するために、光源から出射された光を導光する導光板と、上記導光板を挟持することが可能で、かつ別体として設けられる一対の導光板挟持部と、上記一対の導光板挟持部の相対的な位置関係を規定する規定部と、を備えていることを特徴としている。
【００１１】
上記構成によれば、光源から出射された光を導光する導光板を備えているため、導光板から出射された光によりその外部を照明できる。
【００１２】
また、導光板を挟持することが可能で、かつ別体として設けられる一対の導光板挟持部を備え、規定部がその相対的な位置関係を規定することにより、導光板を照明窓に対して確実に固定した状態を維持することができる。それゆえ、特許文献１のように固定枠のみで導光板を保持する（すなわち、導光板挟持部が一体として設けられる）場合のような導光板の差込が不要であり、また、そのときに導光板に傷がつき、光源から出射された光がその外部に漏れ出てしまう、照明窓自体が破損してしまう、などといった事態を防止することができる。
【００１３】
すなわち、本発明の照明窓によれば、照明窓の品位低下を防ぐとともに、その衝撃耐性を向上させることができる。
【００１４】
さらに、本発明に係る照明窓は、上記光源を備え、上記一対の導光板挟持部は、上記導光板の、上記光源近傍の端部において、上記導光板を挟持していることが好ましい。
【００１５】
上記構成によれば、導光板の光源近傍の端部において導光板が挟持されるため、光源近傍と導光板との相対的な位置関係に変化が生じにくい。それゆえ、光源から出射された光を確実に導光板へと導入することができ、光源と導光板との光結合効率の安定化を図ることができる。
【００１６】
さらに、本発明に係る照明窓は、上記導光板の厚み方向への動きを抑制する抑制部を備えていることが好ましい。
【００１７】
上記構成によれば、導光板の厚み方向以外の方向への動きを許容することができるので、導光板の伸縮を考慮した上での衝撃耐性を向上させることができる。
【００１８】
さらに、本発明に係る照明窓は、ベースをさらに備え、上記規定部は、上記一対の導光板挟持部の少なくとも一方を上記ベースに固定することにより、上記相対的な位置関係を規定することが好ましい。
【００１９】
上記構成によれば、導光板挟持部の少なくとも一方をベースに固定することにより、一対の導光板挟持部の相対的な位置関係を規定することができる。
【００２０】
さらに、本発明に係る照明窓では、上記規定部は、上記一対の導光板挟持部を互いに固定することにより、上記相対的な位置関係を規定することが好ましい。
【００２１】
上記構成によれば、一対の導光板挟持部を互いに固定することにより、一対の導光板挟持部の相対的な位置関係を規定することができる。
【００２２】
さらに、本発明に係る照明窓では、上記導光板には、切り欠き部または開口部が形成され、上記規定部は、上記切り欠き部または上記開口部を通って、上記一対の導光板挟持部を連結することが好ましい。
【００２３】
上記構成によれば、導光板に切り欠き部または開口部が形成されていることにより、導光板を挟持しつつ、一対の導光板挟持部の相対的な位置関係を規定することができる。
【００２４】
さらに、本発明に係る照明窓では、上記一対の導光板挟持部の少なくとも一方と、上記導光板との組において、その一方には突起部が形成され、その他方には当該突起部を嵌合可能な嵌合部が形成されていることが好ましい。
【００２５】
上記構成によれば、突起部が嵌合部に嵌合されることにより、一対の導光板挟持部の少なくとも一方と導光板との位置関係を規定することができる。
【００２６】
さらに、本発明に係るドアは、上記の照明窓を備えているので、ドアの品位低下を防ぐとともに、その衝撃耐性を向上させることができる。
【発明の効果】
【００２７】
本発明に係る照明窓は、以上のように、光源から出射された光を導光する導光板と、上記導光板を挟持することが可能で、かつ別体として設けられる一対の導光板挟持部と、上記一対の導光板挟持部の相対的な位置関係を規定する規定部と、を備えている構成である。
【００２８】
それゆえ、照明窓の品位低下を防ぐとともに、その衝撃耐性を向上させることができるという効果を奏する。
【図面の簡単な説明】
【００２９】
【図１】本発明の一実施形態に係る照明モジュールの概略構成の一例を示す図である。
【図２】図１に示す照明モジュールを備えたドアの概略構成の一例を示す平面図である。
【図３】図１に示す照明モジュールの全体的な概略構成の一例を示す図であり、（ａ）はその平面図、（ｂ）はその側面図である。
【図４】図１に示す照明モジュールが備える導光板および抑制部の配置関係の一例を示す図であり、（ａ）は導光板および抑制部の平面図、（ｂ）はその側面図である。
【図５】図１に示す照明モジュールの組み立て概要の一例を示す図である。
【図６】図１に示す照明モジュールの比較例を示す図である。
【図７】図１に示す照明モジュールの変形例を示す図である。
【図８】図７に示す照明モジュールの組み立て概要の一例を示す図である。
【図９】図７に示す照明モジュールが備える導光板の形状の一例を示す図である。
【図１０】図１に示す照明モジュールの別の変形例を示す図である。
【図１１】図７に示す照明モジュールの組み立て概要の一例を示す図である。
【図１２】図１に示す照明モジュールのさらに別の変形例を示す図である。
【図１３】図１２に示す照明モジュールの組み立て概要の一例を示す図である。
【図１４】図１に示す照明モジュールのさらに別の変形例を示す図である。
【図１５】図１４に示す照明モジュールの組み立て概要の一例を示す図である。
【発明を実施するための形態】
【００３０】
本発明の実施の一形態について図１〜図１５に基づいて説明すれば、以下のとおりである。本実施の形態では、本発明の照明窓の一実施形態として、例えば図２に示すようなドア３０に設置される照明モジュール１について説明する。図２は、ドア３０の概略構成の一例を示す平面図である。
【００３１】
ドア３０は、例えば建屋の玄関や勝手口、各部屋、廊下等に設けられるものであり、図２に示すように、ドア本体３１およびノブ３２を備え、さらに、ドア本体３１の所定の位置に、本実施の形態に係る照明モジュール１を備えている。なお、ドア本体３１およびノブ３２は周知の構成であるので、その説明については割愛する。
【００３２】
本実施の形態に係る照明モジュール１は、後述するように、透光性を有する導光板２およびＬＥＤ４を備えている（図３参照）。ドア３０が玄関や勝手口等に設けられている場合、ＬＥＤ４が非点灯時には、屋外からの光が導光板２を透過して屋内へと入射する。それゆえ、照明モジュール１は、ＬＥＤ４の非点灯時には採光窓として機能する。
【００３３】
一方、ＬＥＤ４の点灯時には、ＬＥＤ４から出射された光が導光板２からその外部へと発せられるので、ドア３０の周辺部を照明したり、照明モジュール１の一方の側から、照明モジュール１の他方の側に位置する物体を見たときの視認性を低下させたりすることができる。
【００３４】
なお、本実施の形態に係る照明モジュール１は、必ずしもドア３０に取り付けられる必要はなく、例えば、建屋、戸棚などの窓として機能してもよい。すなわち、照明モジュール１は、外部から衝撃が加えられる照明モジュールに適用可能である。
【００３５】
以下に、本実施の形態に係る照明モジュール１の構成について、具体的に説明する。
【００３６】
〔照明モジュール１の構成〕
本実施の形態に係る照明モジュール１について、図１、図３〜図６に基づいて説明する。まず、図３を用いて、照明モジュール１の概略構成について説明する。図３は、本実施の形態に係る照明モジュール１の全体的な概略構成の一例を示す図であり、（ａ）はその平面図、（ｂ）はその側面図である。
【００３７】
図３（ａ）および（ｂ）に示すように、照明モジュール（照明窓）１は、導光板２と、保護用ガラス３と、ＬＥＤ（光源）４と、一対の導光板保持部（導光板挟持部）５ａ、５ｂと、フレーム６と、ベース部７とを備えている。この照明モジュール１では、ＬＥＤ４から出射された光は導光板２によって導光され、導光板２の両表面にそれぞれ対向する保護用ガラス３から外部へと出射される。
【００３８】
本実施の形態では、照明モジュール１は矩形状であり、その大きさは、鉛直方向（高さ方向、ｙ方向）の長さが２３０ｍｍ、水平方向（横方向、ｘ方向）の長さが１６７ｍｍ、厚み（ｚ方向の長さ）が３２ｍｍであるが、これに限られない。すなわち、照明モジュール１の大きさおよび形状は、ドア３０の大きさ、ドア３０の設置場所等に合わせて設定されていればよい。例えば、照明モジュール１の形状が、円形状、楕円形状であってもよい。なお、照明モジュール１が備える各部材の大きさおよび形状も、以下に示す大きさおよび形状に限定されるものではない。
【００３９】
次に、各部の詳細について、図１も参照しながら説明する。図１は、本実施の形態に係る照明モジュール１の概略構成の一例を示す側面図であり、図３（ｂ）の領域Ａを拡大したものである。
【００４０】
（導光板２）
導光板２は、透光性を有するものであり、ＬＥＤ４の点灯時には、ＬＥＤ４から出射された光を導光し、その両表面から当該光を出射する。それゆえ、照明モジュール１は、上述のように、ＬＥＤ４の非点灯時には、例えば採光窓として機能する一方、ＬＥＤ４の点灯時には、ドア３０の周辺部を照明したり、導光板２を介しての物体の視認性を低下させたりすることができる。
【００４１】
上記の「透光性」とは、光を通す（透過する）ことを意味し、導光板２が必ずしも透明体であることを意味するものではない。すなわち、導光板２は、光を透過さえすれば、その外観が例えば乳白色に見えてもよい。
【００４２】
また、導光板２は、ＬＥＤ４の点灯時に、少なくともその両表面から光を出射できる構造であればよい。この構造を実現するために、導光板２に、例えば、光拡散性を有するパターンが印刷されていてもよいし、インクジェット技術によって導光板２と屈折率の異なる略半球状の構造が設けられていてもよいし、サンドブラストなどによって粗面が形成されていてもよい。また、導光板２に蛍光体塗料が塗布されていてもよいし、拡散粒子が含まれた導光板２が用いられてもよい。
【００４３】
一方、上記物体の視認性を低下させる構造を実現するためには、導光板２から出射される光の光量および配光制御が可能なように、導光板２の内部に微小のプリズムが設けられてもよい。
【００４４】
導光板２の材質として、例えば、メタクリル樹脂、アクリル系樹脂、ポリカーボネート系樹脂、ポリエステル系樹脂、塩化ビニル系樹脂等の透過率の高い合成樹脂を使用できる。また、本実施の形態では、導光板２の大きさは、水平方向の長さについては、照明モジュール１の水平方向の長さとほぼ同じであるが、その鉛直方向の長さについては、その上端部２ａ（ドア３０への設置状態における導光板２の鉛直上側の端部（端面））の近傍にＬＥＤ４が配置されるため、そのＬＥＤ４の配置場所確保分だけ、照明モジュール１の鉛直方向の長さよりも小さく設計されている。また、導光板２の厚みは１．５ｍｍである。
【００４５】
（保護用ガラス３）
保護用ガラス３は、導光板２を保護するためのガラス板であり、導光板２の両表面のそれぞれと対向するように配置され、例えば接着剤や両面テープ等により、導光板保持部５ａ、５ｂおよびフレーム６に対して固定されている。保護用ガラス３を備えることで、導光板２に傷がつき、導光板２が破損することを防ぐことができる。
【００４６】
本実施の形態では、保護用ガラス３の大きさは、照明モジュール１全体の大きさとほぼ同一であり、その厚みは３ｍｍである。
【００４７】
また、保護用ガラス３は、例えば、ＵＶ（紫外線）やＩＲ（熱線）等をカットする機能、および／または、光の反射を防止する機能を有していてもよい。これらの機能を有する場合、より実用的な照明モジュール１を実現することができる。この場合、例えば、保護用ガラス３に、上記機能を有する物質を蒸着させる、または、上記機能を有するフィルムを貼り付けることにより、保護用ガラス３に上記機能を持たせることができる。
【００４８】
さらに、保護用ガラス３の材質は、導光板２を保護することが可能であれば、ガラスに限らず、例えば導光板２と同じ材質（プラスチック材料）であってもよい。
【００４９】
（ＬＥＤ４）
ＬＥＤ４は、照明モジュール１の光源として機能する。ＬＥＤ４は、図１に示すように、導光板２の上端部２ａの近傍に設けられており、その発光面の向き（光の出射方向）が導光板２側を向くように配置可能なサイド出射型の発光ダイオードが用いられている。
【００５０】
また、ＬＥＤ４は、基板上に備えられ、ＬＥＤ４の発光面と導光板２の上端部２ａとが近接するように、当該基板が接着剤や両面テープ等で導光板保持部５ａに固定されている。なお、ＬＥＤ４の固定箇所は、上記発光面と上記上端部２ａとが近接するような位置関係を実現できれば、導光板保持部５ａに固定されている必要は必ずしもなく、導光板保持部５ｂまたは導光板２の上端部２ａであってもよい。また、ＬＥＤ４の天面が発光するものであれば、導光板保持部５ａ、５ｂ間のベース部７に位置するように固定されてもよい。
【００５１】
ＬＥＤ４には、図示しない配線またはコネクタによって基板を介して電力供給される。
【００５２】
ＬＥＤ４が載置される基板に関し、ＬＥＤ４が実装されている面（導光板２が載置される側の面）は、ＬＥＤ４から出射された光を効率的に反射させて導光板２に結合させるため（光結合効率の向上を図るため）には、白色であることが好ましい。この場合、一般的に白色レジストなどが施される。なお、ＬＥＤ４の実装面は、ＬＥＤ４から出射された光を効率的に反射させることが可能であれば、白色である必要は必ずしもなく、その他の明色であってもよい。
【００５３】
さらに、ＬＥＤ４が固定された導光板保持部５ａと対向する導光板保持部５ｂの表面には、ＬＥＤ４から出射された光を効率的に反射させて導光板２に結合させるため（光結合効率の向上を図るため）、反射性を有するシート等が貼り付けられていることがより好ましい。反射性を有するシートは、ＰＥＴ（ポリエチレンテレフタラート）やＰＣ（ポリカーボネート）などからなり、外観が白く、高い反射率を有するものが好ましいが、金属が蒸着された鏡面のものであっても良い。更に言えば、導光板保持部５ｂに反射率が高い部材を用いてもよい。
【００５４】
なお、ＬＥＤ４は、導光板２の上端部２ａと対向するように設けられる必要は必ずしもなく、照明モジュール１の用途に応じて、導光板２の下端部２ｂ（ドア３０への設置状態における導光板２の鉛直下側の端部）あるいは側端部（上端部２ａおよび下端部２ｂ以外の両端部）の一方、またはその全端部（全端面）と対向するように設けられてもよい。
【００５５】
また、照明モジュール１の光源としてはＬＥＤ４に限られないが、電力消費が少なく長寿命である点を考慮すれば、発光ダイオードであることが好ましい。
【００５６】
（導光板保持部５ａ、５ｂ）
導光板保持部５ａ、５ｂは、導光板２を挟持することが可能で、かつ別体として設けられるものである。また、導光板保持部５ａ、５ｂは、後述するネジ（規定部）８によってベース部７と固定されることにより、その位置関係が規定されている。その位置関係は、導光板２の厚みにあわせて規定されているので、ネジ８によって導光板保持部５ａ、５ｂが固定されることにより、例えば一体形成された固定枠に挿入して確実な固定を行う場合に生じる、導光板に傷がつくなどといった事態を防止することができる。
【００５７】
また、図１および図３（ｂ）に示すように、本実施の形態では、導光板保持部５ａ、５ｂは、導光板２の、ＬＥＤ４の近傍の上端部２ａにおいて、導光板２を挟持している。
【００５８】
例えば、導光板保持部５ａ、５ｂが導光板２の下端部２ｂを挟持するように設けられ、それ以外の導光板２の端部を挟持していない場合、導光板２は、その自重によりたわんでしまう可能性がある。そのたわみを抑制するためには、導光板２の下端部２ｂ以外の部分にも導光板２を支持する部材が必要となる。
【００５９】
上記のように、導光板保持部５ａ、５ｂが少なくとも上端部２ａにおいて導光板２を挟持する場合には、導光板２がたわむことがない。それゆえ、上端部２ａにおいて導光板２を確実に挟持することができるとともに、たわみを抑制するための支持部材を設けることなく、導光板２の衝撃耐性を向上させることができる。
【００６０】
さらに、導光板２のＬＥＤ４の近傍の端部（図１および図３（ｂ）では上端部２ａ）において導光板２が挟持されているため、導光板２とＬＥＤ４との相対的な位置関係に変化が生じにくい。それゆえ、ＬＥＤ４から出射された光を確実に導光板２へと導入することができ、ＬＥＤ４と導光板２との光結合効率の安定化を図ることができる。また、ＬＥＤ４から出射された光がその上端部２ａに入射せずに、導光板２から漏れ出てしまうのを防ぐことができる。
【００６１】
なお、導光板２のたわみを考慮しない場合、導光板２を厚くすることにより導光板２にたわみが発生しにくい場合、または、たわみを抑制するための支持部材を設ける場合には、導光板保持部５ａ、５ｂを、導光板２の上端部２ａを挟持するように設ける必要は必ずしもない。また、導光板２とＬＥＤ４との相対的な位置関係を考慮しない場合には、導光板保持部５ａ、５ｂをＬＥＤ４の近傍に設ける必要は必ずしもない。
【００６２】
すなわち、導光板保持部５ａ、５ｂは、導光板２の少なくとも１つの端部を挟持するように設けられていればよい。導光板２において、ＬＥＤ４近傍の端部以外の端部が、導光板保持部５ａ、５ｂによって挟持されている場合には、導光板２を通った光が、所望の方向（例えばｚ方向、照明モジュール１の外部）以外の方向に漏れ出てしまうことを抑制することができる。なお、後述の抑制部６ａによっても同様の効果を得ることができる。
【００６３】
導光板保持部５ａ、５ｂの材質としては、不燃性の観点から言えば金属であることが好ましい。その中でも、軽量性および放熱性の観点から言えば、アルミニウムがより好ましい。これらの点を考慮しなければ、例えばアクリル樹脂等、導光板２を挟持することが可能な材質であれば、特に限定されるものではない。
【００６４】
また、本実施の形態では、導光板保持部５ａ、５ｂの大きさは、水平方向の長さについては、導光板２および保護用ガラス３と略同一である。また、鉛直方向の長さは２０ｍｍであり、その厚みが１０ｍｍである。導光板保持部５ａ、５ｂの大きさは、ネジ８が挿入されるネジ穴を形成でき、かつ導光板２を確実に挟持可能な大きさであればよい。
【００６５】
また、導光板２と導光板保持部５ａ、５ｂとの間、導光板保持部５ａ、５ｂと保護用ガラス３との間には、ボロンなどの緩衝部材を介在させることが好ましい。
【００６６】
なお、導光板保持部５ａ、５ｂは、導光板保持部５ａ、５ｂの少なくとも１つの端部を挟持するように配置される必要は必ずしもなく、例えば、導光板２の任意の位置を挟持するように配置されてもよい。この場合、外部への照射効率は低下するが、導光板２がフレーム６と固定されず、直接保護用ガラス３と固定されてもよい。
【００６７】
（フレーム６）
フレーム６は、照明モジュール１の外周部に、少なくとも２つの保護用ガラス３およびベース部７とを囲むように設けられており、照明モジュール１を密封構造とするとともに、照明モジュール１の見栄えを良くするものである。照明モジュール１を密封構造とすることにより、ドア３０の閉状態時に、室内等の特定空間の断熱効果を高めることができる。
【００６８】
フレーム６の材質は、不燃性の観点から言えば、導光板保持部５ａ、５ｂと同様、金属であることが好ましく、軽量性および放熱性の観点から言えば、その中でも特にアルミニウムであることが好ましい。
【００６９】
（抑制部６ａ）
照明モジュール１は、導光板２の厚み方向への動きを抑制する抑制部６ａを備えている。図３に示すように、抑制部６ａは、導光板２の下端部２ｂと対向するフレーム６に設けられている。また、図４（ａ）および（ｂ）に示すように、本実施の形態では、抑制部６ａは、その断面がコの字形状となっており（すなわち、溝を有しており）、導光板２の下端部２ｂが抑制部６ａに嵌合可能なように、その水平方向（ｘ方向）の長さが導光板２の長さ方向と略同一となっている。なお、図４は、導光板２と抑制部６ａとの配置関係の一例を示すものであり、これらの部材以外については図示していない。
【００７０】
また、抑制部６ａが有する溝の、導光板２の厚み方向の長さ（ｚ方向の長さ）は、導光板２の厚みよりも若干広くなっている。これは、導光板保持部５ａ、５ｂが導光板２を挟持することにより、導光板２を照明モジュール１に確実に固定しているため、抑制部６ａが、そのような確実な固定部材としての機能を有している必要がないためである。すなわち、抑制部６ａは、少なくとも導光板２の厚み方向への動きを抑制できればよく、下端部２ｂの延伸方向（ｘ方向）への動きは許容された構成であればよい。
【００７１】
ここで、導光板２は、ドア３０が設けられる周辺環境やＬＥＤ４が発する熱等の温度変化の影響を受けて伸縮する可能性がある。例えば、導光板保持部５ａ、５ｂが、導光板２の端部すべてを挟持するように当該端部のそれぞれに設けられた場合には、より衝撃耐性に優れた照明モジュール１を実現することが可能となる。しかし、この場合には、全ての端部がフレーム６またはベース部７に固定されることになるので、導光板２が、上記温度変化にあわせて自由に伸縮することができず、破損してしまう可能性がある。
【００７２】
上記のように、導光板２の、導光板保持部５ａ、５ｂで挟持される上端部２ａではない下端部２ｂが、抑制部６ａが有する溝に嵌合されることにより、導光板２の厚み方向以外の方向への動きを許容することができるので、導光板２の伸縮を考慮した上での衝撃耐性を向上させることができる。なお、導光板２の下端部２ｂは、上記温度変化による、導光板２の側端部の延伸方向（ｙ方向）の伸縮にも対応できるように、抑制部６ａから離間して配置されることが好ましい。
【００７３】
また、導光板保持部５ａ、５ｂが、導光板２の上端部２ａのみで導光板２を挟持して所望の衝撃耐性を得るためには、導光板２に、導光板保持部５ａ、５ｂとの接触領域を広く設ける必要がある。しかし、抑制部６ａを備えることにより、少なくともその抑制部６ａに嵌合される部分において、導光板２の厚み方向への動きを抑制することができるので、上記のように上記接触領域を広く設ける必要がない。それゆえ、抑制部６ａを備えることにより、導光板２の小型化を図ることができる。
【００７４】
なお、本実施の形態では、導光板２の下端部２ｂが抑制部６ａに嵌合される構成となっているが、これに限らず、下端部２ｂおよび側端部の少なくとも１つに設けられていればよい。すなわち、導光板２の、導光板保持部５ａ、５ｂが挟持する端部以外の端部の少なくとも１つに設けられていればよい。
【００７５】
また、抑制部６ａは溝を有する構成ではなくてもよく、例えば、２つの小片で構成されていてもよい。この場合、抑制部６ａを形成する２つの小片が、導光板２の下端部２ｂに対向するフレーム６に、当該下端部２ｂを嵌合するように設けられていてもよい。
【００７６】
さらに、この導光板２の伸縮を考慮しなければ、導光板２の端部すべてに一対の導光板保持部５ａ、５ｂが設けられてもよく、伸縮を考慮した上での衝撃耐性を高めることや導光板２の小型化を考慮しなければ、抑制部６ａが必ずしも設けられる必要はない。
【００７７】
（ベース部７）
ベース部７は、導光板保持部５ａ、５ｂが設置、固定される部材である。ベース部７の材質もフレーム６と同様、金属、特にアルミニウムであることが好ましい。また、ベース部７は、接着剤等により、フレーム６に固定されている。
【００７８】
なお、図１および図３（ｂ）では、導光板保持部５ａ、５ｂとベース部７とが別体となっているが、これに限らず、例えば導光板保持部５ａ、５ｂのいずれか一方がベース部７と一体に成されていてもよい。
【００７９】
また、ベース部７は、フレーム６と別体ではなく、フレーム６の一部であってもよい。
【００８０】
（ネジ８）
照明モジュール１は、図１に示すように、さらにネジ８を備えている。ネジ８は、一対の導光板保持部５ａ、５ｂの相対的な位置関係を規定するものである。
【００８１】
具体的には、ベース部７にはネジ８を通すことが可能で、その断面形状が楕円形状の貫通孔（不図示）が形成されており、導光板保持部５ａ、５ｂのそれぞれにはネジ８用のネジ穴（不図示）が形成されている。この貫通孔およびネジ穴は、導光板保持部５ａ、５ｂが導光板２を挟持できるように形成されている。ネジ８が、この貫通孔を通り、ネジ穴に挿入され、締め付けられることにより、ベース部７と導光板保持部５ａ、５ｂのそれぞれとが固定されるとともに、導光板２を挟持可能なように、導光板保持部５ａ、５ｂの相対的な位置関係が規定される。なお、ベース部７はフレーム６に固定されているので、導光板保持部５ａ、５ｂは、ネジ８によってフレーム６に固定されるともいえる。
【００８２】
また、導光板保持部５ａ、５ｂのいずれか一方がベース部７と一体に形成されている場合には、その他方（ベース部７と別体である導光板保持部）を、ネジ８によってベース部７と固定することにより、上記の相対的な位置関係が規定されることになる。
【００８３】
すなわち、ネジ８は、一対の導光板保持部５ａ、５ｂの少なくとも一方を、ベース部７を介してフレーム６に固定することにより、上記の相対的な位置関係を規定することができる。
【００８４】
なお、ベース部７と導光板保持部５ａ、５ｂとのそれぞれとが固定されることによって、導光板保持部５ａ、５ｂの相対的な位置関係が規定されれば、ネジ８に限らず、例えば接着剤や両面テープなどの部材が用いられてもよい。
【００８５】
＜組み立て概要＞
次に、図１に示す照明モジュール１の組み立て概要の一例について、図５を用いて説明する。図５は、照明モジュール１の組み立て概要の一例を示す図である。ここでは、ベース部７に導光板保持部５ｂがネジ８によって固定された後の、導光板２および導光板保持部５ａの組み立て概要について説明する。
【００８６】
図５（ａ）に示すように、ベース部７に固定された導光板保持部５ｂに導光板２が配置される。その状態において、図５（ｂ）に示すように、導光板保持部５ａが導光板２に押し当てられる。そして、図５（ｃ）に示すように、導光板保持部５ａをネジ８によってベース部７と固定することにより、導光板保持部５ａ、５ｂの位置関係が規定され、導光板２を挟持することができる。
【００８７】
なお、導光板保持部５ｂと導光板２との位置決めは、例えば、後述の図８に示す方法などによって行われる。
【００８８】
＜照明モジュール１の利点＞
次に、本実施の形態に係る照明モジュール１の比較例である照明モジュール１００をについて図６を用いて説明するとともに、照明モジュール１の利点についても説明する。図６は、照明モジュール１００の概略構成の一例を示す図である。
【００８９】
照明モジュール１００では、照明モジュール１とは異なり、コの字形状の固定枠５０（すなわち、溝を有する固定枠５０）によって、導光板２がフレーム６に固定される構成となっている。
【００９０】
この場合、上述したように、固定枠５０が有する溝の幅（ｚ方向）が狭い場合には、導光板２に傷がついてしまい、不要な位置から光が漏れ出ることによる品位低下（輝点、輝線、輝度ムラなどの発生）の可能性がある。一方、その幅が広い場合には、導光板２をフレーム６に固定することが困難となる。また、導光板２の厚みと略同一の溝を形成したとしても、導光板２をその溝に差し込む必要があるため、その差込時に導光板２に傷がついてしまう可能性がある。また、このような観点を考慮し、導光板２をフレーム６に固定し、かつ差込時に導光板２を傷つけないような固定枠５０を製造することは困難である。
【００９１】
一方、本実施の形態に係る照明モジュール１は、固定枠５０の代わりに、ネジ８によって、導光板２を挟持可能なように、別体である一対の導光板保持部５ａ、５ｂの位置関係が規定されている。すなわち、導光板保持部５ａ、５ｂおよびネジ８によって、導光板２がフレーム６に確実に固定されている。それゆえ、照明モジュール１は、照明モジュール１００とは異なり、導光板２が傷ついてしまうといった照明モジュール１（ひいてはドア３０）の品位低下を防ぐとともに、その衝撃耐性を向上させることできる。
【００９２】
また、ＬＥＤ４と導光板２との間の位置関係の変動（導光板２の厚み方向のずれ、および、ＬＥＤ４の発光面と導光板２の受光面との距離の変動）により、輝度変化が生じたり、導光板２に光結合しない非結合光（損失光）が増加したりする。しかし、本実施の形態に係る照明モジュール１は、導光板保持部５ａ、５ｂおよびネジ８によって導光板２をフレーム６に確実に固定しているので、上記の位置関係の変動も生じ、輝度変化や損失光が発生しにくい利便性の高い照明モジュールを提供できる。
【００９３】
さらに、照明モジュール１は、導光板保持部５ａ、５ｂが導光板２を挟持し、導光板保持部５ａ、５ｂの導光板２との接触面との反対側に、保護用ガラス３が設けられた構造となっている。すなわち、照明モジュール１は、導光板２、導光板保持部５ａ、５ｂおよび２つの保護用ガラス３からなる３層構造となっている。それゆえ、照明モジュール１の周辺の寒暖による温度変化または湿度変化によって、導光板２の形状および特性が変化することを抑制できる。また、外部からの衝撃等により、導光板２が簡単に破られたり、熱で溶けてしまったりすることを抑制できるので、防犯性の高い照明モジュールを提供することも可能である。
【００９４】
また、ＬＥＤ４より発せられる熱により、照明モジュール１の内部が暖められることが考えられる。これにより、照明モジュール１の内部より外気温が高くなることにより生じる結露を抑制することができる。
【００９５】
〔照明モジュール１の変形例〕
次に、照明モジュール１の変形例について、図７〜図１５を用いて説明する。以下の変形例１〜４では、導光板保持部５ｂが、ベース部７と接着剤、両面テープまたはネジ等で予め固定された状態となっている。また、図７、図１０、図１２および図１４は、図１に対応する図面であり、図７、図８、図１０〜図１５ではＬＥＤ４の図示を省略している。また、図８、図１１、図１３および図１５では、保護用ガラス３、ＬＥＤ４およびフレーム６の図示を省略している。
【００９６】
〔変形例１〕
まず、図７および図８を用いて、照明モジュール１の変形例である照明モジュール（照明窓）１ａについて説明する。図７は、照明モジュール１ａの概略構成を示す図であり、図８は、照明モジュール１ａの組み立て概要の一例を示す図である。また、図９は、照明モジュール１ａが備える導光板２の形状の一例を示す図である。
【００９７】
図７に示すように、本変形例の照明モジュール１ａでは、ネジ８によって導光板保持部５ａがベース部７に固定されることにより、導光板保持部５ａ、５ｂの相対的な位置関係が規定され、導光板保持部５ａ、５ｂが導光板２を挟持している。
【００９８】
図８（ａ）に示すように、導光板保持部５ｂには、導光板２の配置位置を決定する位置決めピン（突起部）９が設けられている。また、導光板２には切り欠き部（嵌合部）２１が形成されている。導光板保持部５ｂの位置決めピン９が、導光板２の切り欠き部２１を通ることにより、導光板２の導光板保持部５ｂに対する位置決めが行われる。
【００９９】
位置決めピン９は、棒状部材であり、ベース部７の表面７ａ（図８（ｂ）に示すｘｚ平面）と略平行に設けられている。また、位置決めピン９の材質は、不燃性の観点から言えば、金属であることが好ましく、強度の観点から言えば、ステンレスであることが好ましい。ただし、これに限定されるものではない。
【０１００】
また、切り欠き部２１は、導光板２の上端部２ａの延伸方向（図８（ｂ）のｘ方向）と略平行に、位置決めピン９が通るように形成されている。
【０１０１】
これにより、位置決めピン９が切り欠き部２１を通ったときに、導光板２の上端部２ａがベース部７の表面７ａと略平行となるように、導光板２を導光板保持部５ｂに対して位置決めすることができる。
【０１０２】
なお、上記のような位置決めが可能であれば、位置決めピン９が導光板保持部５ｂにどのように配置されていてもよく、切り欠き部２１も、導光板保持部５ｂに配置されたときに位置決めピン９が通るように、導光板２に配置されていればよい。
【０１０３】
また、ＬＥＤ４から出射された光が導光板２の上端部２ａから導入されるように、導光板２の上端部２ａの近傍にＬＥＤ４が配置される。そのため、図８（ｂ）に示すように、導光板２の上端部２ａとベース部７の表面７ａとの間には、ＬＥＤ４が配置可能な隙間ａが形成されるように、導光板保持部５ｂに位置決めピン９が設けられ、導光板２に切り欠き部２１が形成されている。
【０１０４】
また、図８（ａ）に示すように、ベース部７には、ネジ８が貫通可能な貫通孔１０（長穴）が形成されている。貫通孔１０の断面形状は楕円形状となっている。さらに、導光板保持部５ａには、導光板保持部５ａとベース部７との固定が可能なように、ネジ８用のネジ穴（不図示）が形成されている。貫通孔１０およびネジ穴は、導光板保持部５ａがベース部７に載置されたときに、互いに対向するように形成されている。
【０１０５】
図８（ｂ）に示すように、ベース部７に導光板保持部５ａを載置した後、ネジ８を、ベース部７に形成された貫通孔１０を通すことにより、導光板保持部５ａがベース部７に固定される。貫通孔１０の断面形状は楕円形状であるため、導光板保持部５ａを導光板保持部５ｂ側に押し付けながら、導光板保持部５ａとベース部７とのネジ８による固定が行われる。これにより、導光板２を導光板保持部５ａ、５ｂにて確実に（隙間なく）挟持することができる。
【０１０６】
（導光板２の形状）
ここで、導光板２の形状について、図９を用いて説明する。図９は、導光板２の形状の一例を示す平面図である。なお、図９（ｃ）は、導光板２の平面図と、当該平面図におけるＡ−Ａ’線で切ったときの断面図も示している。
【０１０７】
導光板２には、例えば、図９（ａ）に示すような切り欠き部２１、図９（ｂ）に示すような開口部（嵌合部）２２、図９（ｃ）に示すような凹部（嵌合部）２３が形成されている。この切り欠き部２１、開口部２２または凹部２３を、導光板保持部５ｂに設けられた位置決めピン９が通ることによって、導光板２と導光板保持部５ｂとの位置決めが行われる。すなわち、導光板２には、位置決めピン９を嵌合可能な切り欠き部２１、開口部２２または凹部２３が形成されていることにより、少なくとも導光板２と導光板保持部５ｂとの位置関係を規定することができる。
【０１０８】
切り欠き部２１、開口部２２および凹部２３は、導光板２の上端部２ａの延伸方向（ｘ方向）と略平行に形成されているが、これに限らず、導光板保持部５ｂに設けられた位置決めピン９を通すことが可能であればよい。すなわち、上述のように、導光板２の上端部２ａがベース部７の表面７ａと略平行となるように、導光板２を導光板保持部５ｂに対して位置決めすることができればよい。
【０１０９】
また、切り欠き部２１、開口部２２および凹部２３は、図９に示すように、導光板２の上端部２ａ、すなわち、導光板２が導光板保持部５ａ、５ｂによって挟持された状態においてＬＥＤ４の近傍となる位置に形成されていることが好ましい。
【０１１０】
この場合、上記以外の位置に切り欠き部２１、開口部２２および凹部２３が設けられた場合に比べ、導光板２とＬＥＤ４との相対的な位置関係のずれを確実に防止することできる。また、温度変化に起因した導光板２の伸縮による光結合効率の変化を抑制しやすく、さらに、導光板２の伸びによるＬＥＤ４の破壊を確実に防止することができる。
【０１１１】
なお、上記位置決めに、導光板保持部５ｂに位置決めピン９が設けられ、導光板２に、当該位置決めピン９が嵌合される切り欠き部２１等の嵌合部が形成されているが、これに限らず、導光板２に位置決めピン９が設けられ、導光板保持部５ｂに当該嵌合部が形成されていてもよい。
【０１１２】
また、導光板２が導光板保持部５ａに対して位置決めされる場合には、導光板保持部５ａに、位置決めピン９が設けられるか、または、切り欠き部２１等が形成されてもよい。
【０１１３】
すなわち、導光板２と導光板保持部５ａ、５ｂの少なくとも一方との位置決めを行うためには、一対の導光板保持部５ａ、５ｂの少なくとも一方と、導光板２との組において、その一方には位置決めピン９が形成され、その他方には位置決めピン９を嵌合可能な上記嵌合部が形成されていればよい。なお、位置決めピン９の代わりに、図１５（ａ）に示す変形例４の位置決めピン（突起部）１４が用いられた場合も同様である。
【０１１４】
〔変形例２〕
次に、図１０および図１１を用いて、照明モジュール１の更なる変形例である照明モジュール（照明窓）１ｂについて説明する。図１０は、照明モジュール１ｂの概略構成を示す図であり、図１１は、照明モジュール１ｂの組み立て概要の一例を示す図である。なお、本変形例では、図９（ａ）に示す切り欠き部２１が形成された導光板２を用いているが、これに限らず、図９（ｂ）に示す開口部２２が形成されたものであってもよい。
【０１１５】
図１０に示すように、本変形例の照明モジュール１ｂは、ネジ８によって導光板保持部５ａが導光板保持部５ｂに固定されることにより、導光板保持部５ａ、５ｂの相対的な位置関係が規定され、導光板保持部５ａ、５ｂが導光板２を挟持している。
【０１１６】
図１１（ａ）に示すように、導光板保持部５ｂには、導光板保持部５ａとの固定が可能なように、ネジ８用のネジ穴１２が形成されている。また、導光板２には切り欠き部２１が形成されている。このネジ穴１２の形成位置は、照明モジュール１ａの導光板保持部５ｂに設けられた位置決めピン９の位置と同様である。
【０１１７】
さらに、導光板保持部５ａには、ネジ８が貫通することが可能な貫通孔１１が形成されている。貫通孔１１は、ベース部７に載置されたときに、導光板保持部５ｂのネジ穴と対向する位置に形成されている。これにより、図１１（ｂ）に示すように、ネジ８が貫通孔１１を介して切り欠き部２１を通ったときに、導光板２の上端部２ａがベース部７の表面７ａと略平行となるように、導光板２を導光板保持部５ｂに対して位置決めすることができる。
【０１１８】
なお、変形例１と同様、上記のような位置決めが可能であれば、貫通孔１１、ネジ穴１２および切り欠き部２１は、それぞれ、導光板保持部５ａ、５ｂ、導光板２のどの位置に形成されていてもよい。また、変形例１と同様、ＬＥＤ４の配置を考慮した位置決めが行われることが好ましい。さらに、本変形例では、上記位置決めは、導光板保持部５ａ、５ｂの位置関係を規定するネジ８によって行われているが、これに限らず、ネジ８を用いることなく行われてもよい。例えば、導光板保持部５ｂに位置決めピン９を設け、導光板２に、当該位置決めピン９を通すことが可能な切り欠き部２１、開口部２２または凹部２３を形成することによって行われてもよい。
【０１１９】
また、図１１（ｂ）に示すように、導光板保持部５ｂに形成されたネジ穴１２に対して、導光板保持部５ｂと別体である導光板保持部５ａに形成された貫通孔１１を通して、ネジ８による固定が行われる。すなわち、ネジ８は、切り欠き部２１（または開口部２２）を通って、一対の導光板保持部５ａ、５ｂを連結している。これにより、導光板２の厚み方向に対してネジ締めを行うことができるので、導光板２を導光板保持部５ａ、５ｂにて確実に（隙間なく）挟持することができる。
【０１２０】
以上のように、照明モジュール１ｂでは、ネジ８が、一対の導光板保持部５ａ、５ｂを互いに固定することにより、導光板保持部５ａ、５ｂが導光板２を挟持可能なように、導光板保持部５ａ、５ｂの相対的な位置関係を規定することができる。
【０１２１】
〔変形例３〕
次に、図１２および図１３を用いて、照明モジュール１の更なる変形例である照明モジュール（照明窓）１ｃについて説明する。図１２は、照明モジュール１ｃの概略構成を示す図であり、図１３は、照明モジュール１ｃの組み立て概要の一例を示す図である。なお、本変形例では、図９（ａ）に示す切り欠き部２１が形成された導光板２を用いているが、これに限らず、図９（ｂ）示す開口部２２または図９（ｃ）に示す凹部２３が形成されたものであってもよい。
【０１２２】
図１２に示すように、本変形例の照明モジュール１ｃは、クリップ部材（規定部）１３によって導光板保持部５ａが導光板保持部５ｂに固定されることにより、導光板保持部５ａ、５ｂの相対的な位置関係が規定され、導光板保持部５ａ、５ｂが導光板２を挟持している。
【０１２３】
図１３（ａ）に示すように、変形例１と同様、導光板保持部５ｂには位置決めピン９が設けられ、当該位置決めピン９が導光板２の切り欠き部２１を通ることにより、導光板２と導光板保持部５ｂとの位置決めが行われる。
【０１２４】
クリップ部材１３は、導光板２および導光板保持部５ａ、５ｂを挟持するものであり、その溝の幅（図１３（ｂ）に示すｚ方向）は、少なくとも導光板２および導光板保持部５ａ、５ｂを挟持したときに、これらの幅を合計した長さと略同一となるように設計されている。また、導光板２および導光板保持部５ａ、５ｂを挟持したときに、これらの位置関係にずれが生じないように、導光板保持部５ａ、５ｂのそれぞれに対して押圧できる形状であることが好ましい。
【０１２５】
導光板保持部５ｂに導光板２を配置し、さらに導光板２に導光板保持部５ａを配置した後、クリップ部材１３によって、導光板２および導光板保持部５ａ、５ｂを挟みこむことにより、図１３（ｂ）に示すように、導光板保持部５ａが少なくとも導光板保持部５ｂに固定される。
【０１２６】
すなわち、照明モジュール１ｃでは、クリップ部材１３が、一対の導光板保持部５ａ、５ｂを互いに固定することにより、導光板保持部５ａ、５ｂが導光板２を挟持可能なように、導光板保持部５ａ、５ｂの相対的な位置関係を規定することができる。
【０１２７】
なお、導光板保持部５ａは、クリップ部材１３によって導光板保持部５ｂに固定されるが、これに限らず、例えば変形例１のように、ネジ８や、接着剤、両面テープなどを用いて、ベース部７と固定されてもよい。
【０１２８】
〔変形例４〕
次に、図１４および図１５を用いて、照明モジュール１の更なる変形例である照明モジュール（照明窓）１ｄについて説明する。図１４は、照明モジュール１ｄの概略構成を示す図であり、図１５は、照明モジュール１ｄの組み立て概要の一例を示す図である。なお、本変形例では、変形例１と同様、図９（ａ）に示す切り欠き部２１が形成された導光板２ではなく、図９（ｂ）示す開口部２２が形成されたものを用いることも可能である。
【０１２９】
図１４に示すように、本変形例の照明モジュール１ｄは、位置決めピン１４に形成された貫通孔１４ａ（図１５（ｂ）参照）に固定ピン１５が挿入されることにより、導光板保持部５ａ、５ｂの相対的な位置関係が規定され、導光板保持部５ａ、５ｂが導光板２を挟持している。
【０１３０】
位置決めピン１４は、図１５（ａ）に示すように、棒状部材であり、位置決めピン９と同様、導光板２の切り欠き部２１を通ることにより、導光板２と導光板保持部５ｂとの位置決めを行うものである。そのため、位置決めピン１４は、導光板保持部５ｂの、変形例１に示す位置決めピン９と同様の位置に設けられている。また、その材質も位置決めピン９と同様である。
【０１３１】
位置決めピン１４の長さ（図１５（ｂ）に示すｚ方向の長さ）は、導光板２および導光板保持部５ｂの厚みの合計よりも長くなるように設計されている。すなわち、図１５（ｂ）の状態となったときに、位置決めピン１４の先端部（導光板保持部５ｂに設置された端部と反対側の端部）は、導光板保持部５ａに形成された、当該位置決めピン１４を貫通することが可能な貫通孔１１から突出する。
【０１３２】
また、図１５（ｂ）の領域Ｂに示すように、位置決めピン１４の先端部には、固定ピン１５を通すことが可能な貫通孔１４ａが形成されている。貫通孔１４ａは、位置決めピン１４の導光板保持部５ｂに設置された端部からの距離が、導光板２および導光板保持部５ｂの厚みと略同一となる位置に形成されている。
【０１３３】
固定ピン１５は、例えば、導光板保持部５ａ、５ｂと同様、金属からなり、貫通孔１４ａを通ることが可能なものであれば、どのような形状であってもよい。
【０１３４】
導光板保持部５ｂに導光板２を配置し、さらに導光板２に導光板保持部５ａを配置した後、位置決めピン１４の貫通孔１４ａに固定ピン１５を通すことにより、図１５（ｂ）に示すように、導光板保持部５ａが少なくとも導光板保持部５ｂに固定される。
【０１３５】
すなわち、照明モジュール１ｄでは、固定ピン１５が、一対の導光板保持部５ａ、５ｂを互いに固定することにより、導光板保持部５ａ、５ｂが導光板２を挟持可能なように、導光板保持部５ａ、５ｂの相対的な位置関係を規定することができる。
【０１３６】
なお、導光板保持部５ａは、変形例３と同様、ネジ８や、接着剤、両面テープなどを用いて、ベース部７と固定されてもよい。
【０１３７】
〔本発明の別表現〕
なお、本発明は、以下のようにも表現できる。
【０１３８】
すなわち、本発明に係る照明モジュールは、導光板と、導光板の少なくとも１つの側面に配置された光源とを備え、前記導光板には側面から入射した光を出射するための反射拡散構造が形成され、前記導光板は前記導光板の外周を覆う不燃性材料による枠構造により挟み込み保持され、枠構造の外周部と接して保護板を配置し密封構造としている。
【０１３９】
〔補足〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１４０】
本発明は、照明モジュールの品位低下を防ぐとともに、その衝撃耐性を向上させることができるので、建屋に設置されるドアや戸棚、天窓等に取り付けられる窓に好適である。
【符号の説明】
【０１４１】
１、１ａ〜１ｄ  照明モジュール（照明窓）
２    導光板
２ａ  上端部（端部）
２ｂ  下端部（端部）
４    ＬＥＤ（光源）
５ａ、５ｂ  導光板保持部（導光板挟持部）
６    フレーム
６ａ  抑制部
７    ベース部（ベース）
８    ネジ（規定部）
９    位置決めピン（突起部）
１３  クリップ部材（規定部）
１４  位置決めピン（突起部）
１５  固定ピン（規定部）
２１  切り欠き部（切り欠き部、嵌合部）
２２  開口部（開口部、嵌合部）
２３  凹部（嵌合部）
３０  ドア
【図１】
2013218874.tif 000003
【図２】
2013218874.tif 000004
【図３】
2013218874.tif 000005
【図４】
2013218874.tif 000006
【図５】
2013218874.tif 000007
【図６】
2013218874.tif 000008
【図７】
2013218874.tif 000009
【図８】
2013218874.tif 000010
【図９】
2013218874.tif 000011
【図１０】
2013218874.tif 000012
【図１１】
2013218874.tif 000013
【図１２】
2013218874.tif 000014
【図１３】
2013218874.tif 000015
【図１４】
2013218874.tif 000016
【図１５】
2013218874.tif 000017